(57)【要約】【課題】常時接続の高速通信回線網を利用することができない遠隔地に設置された監視カメラの画像を閲覧し、監視カメラを遠隔操作するために、直接電話接続を確立しない状態で監視カメラを接続させて制御することができると共に、通信コストを削減することができる遠隔監視カメラ制御方法を提供することである。【解決手段】上記の問題点を解決するために、サーバー制御手順は利用者側端末からの監視カメラへの接続要求に応じて、電話回線網を介して監視カメラへ接続要求を送信し、該接続要求を即時に停止する接続要求送信手順を有し、監視カメラ制御手順はサーバー制御手順による接続要求から接続要求元の電話番号を取得する電話番号取得手順と、電話番号取得手順により取得した電話番号に基づいて、インターネットを介してサーバーへ接続し、監視カメラにより撮影された画像を送信する画像送信手順とを有する。【選択図】　　　　図１
2004104462.tif 000002
【特許請求の範囲】
【請求項１】
利用者側端末との接続処理を行うと共に、所定場所を撮影する監視カメラからの画像を該利用者側端末へ提供するサーバーを制御するサーバー制御手順と、
上記監視カメラを制御する監視カメラ制御手順とを有し、
上記サーバー制御手順は、上記利用者側端末からの上記監視カメラへの接続要求に応じて、電話回線網を介して上記監視カメラへ接続要求を送信し、該接続要求を即時に停止する接続要求送信手順を有し、
上記監視カメラ制御手順は、上記サーバー制御手順による上記接続要求から接続要求元の電話番号を取得する電話番号取得手順と、
上記電話番号取得手順により取得した上記電話番号に基づいて、インターネットを介して上記サーバーへ接続し、上記監視カメラにより撮影された画像を送信する画像送信手順とを有することを特徴とする遠隔監視カメラ制御方法。
【請求項２】
上記監視カメラ制御手順は、上記接続要求送信手順による上記接続要求の停止後に、上記電話番号取得手順により取得した上記電話番号が所定のサーバーの電話番号であるか否かを判断する判断手順を有し、
上記画像送信手順は、上記判断手順による判断結果に基づいて上記サーバー制御手順へ接続し、上記監視カメラにより撮影された画像を送信することを特徴とする請求項１記載の遠隔監視カメラ制御方法。
【請求項３】
所定場所に設定された監視カメラが撮影した画像を利用者側端末へ提供するサーバーに送信する画像提供方法であって、
電話回線網を介して上記サーバーからの接続要求の停止後に、取得した該接続要求の電話番号が所定のサーバーの電話番号であるか否かを判断する判断手順と、
上記サーバーからの上記接続要求の電話番号と上記判断手順による判断結果とに基づいて、インターネットを介して上記サーバーへ接続し、上記監視カメラにより撮影された画像を送信する画像送信手順とを有することを特徴とする画像提供方法。
【請求項４】
所定場所を撮影する監視カメラと利用者側端末との接続処理を行うと共に、該監視カメラにより撮影された画像を該利用者側端末へ提供するサーバーによる遠隔監視カメラ制御方法であって、
上記利用者側端末からの上記監視カメラとの接続要求に基づいて、電話回線網を介して上記監視カメラへ接続要求を送信し、該接続要求を即時に停止する接続要求送信手順と、
上記接続要求の停止後に上記監視カメラと接続され、上記監視カメラから送信された画像と、上記監視カメラに関する情報とを管理する情報管理手順と、
上記情報管理手順により管理された情報を上記利用者側端末に提供する情報提供手順とを有することを特徴とする遠隔監視カメラ制御方法。
【請求項５】
所定場所に設定された監視カメラが撮影した画像を利用者側端末へ提供するサーバーに送信する遠隔監視カメラシステムであって、
電話回線網を介して上記サーバーから送信された接続要求の電話番号が所定のサーバーの電話番号であるか否かを判断するアダプタと、
上記アダプタの判断結果に基づいて上記監視カメラを起動させるセンサーと、
上記センサーの起動に応じて設置された所定場所を撮影する監視カメラと、
インターネットを介して上記サーバーへ接続し、該サーバーへ上記監視カメラにより撮影された画像を送信するモデムルーターとを有することを特徴とする遠隔監視カメラシステム。
【請求項６】
サーバーから送信された接続要求に基づいて、所定場所に設定された監視カメラを制御するアダプタによる監視カメラ制御方法であって、
電話回線網を介して上記サーバーから送信された接続要求の電話番号が所定のサーバーの電話番号であるか否かを判断する判断手順と、
上記判断手順による判断結果に基づいて上記監視カメラを起動させる制御を行う制御手順とを有することを特徴とする監視カメラ制御方法。
【請求項７】
サーバーから送信された接続要求に基づいて、所定場所に設定された監視カメラを制御するアダプタによる監視カメラ制御方法における処理をコンピュータに行なわせるためのプログラムであって、
電話回線網を介して上記サーバーから送信された接続要求の電話番号が所定のサーバーの電話番号であるか否かを判断する判断手順と、
上記判断手順による判断結果に基づいて上記監視カメラを起動させる制御を行う制御手順とを有することを特徴とするプログラム。
【請求項８】
所定場所を撮影する監視カメラと利用者側端末との接続処理を行うと共に、該監視カメラにより撮影された画像を該利用者側端末へ提供するサーバーによる遠隔監視カメラ制御方法における処理をコンピュータに行なわせるためのプログラムを格納した記録媒体であって、
上記利用者側端末からの上記監視カメラとの接続要求に基づいて、電話回線網を介して上記監視カメラへ接続要求を送信し、該接続要求を即時に停止する接続要求送信手順と、
上記接続要求の停止後に上記監視カメラと接続され、上記監視カメラから送信された画像と、上記監視カメラに関する情報とを管理する情報管理手順と、
上記情報管理手順により管理された情報を上記利用者側端末に提供する情報提供手順とを有することを特徴とするプログラムを格納した記録媒体。
【発明の詳細な説明】
【０００１】
【発明の属する技術分野】
本発明は遠隔監視カメラ制御方法に係り、特に、インターネット及びＰＳＴＮ（Ｐｕｂｌｉｃ　Ｓｗｉｔｃｈｅｄ　Ｔｅｌｅｐｈｏｎｅ　Ｎｅｔｗｏｒｋ）を介して遠隔地に設置された監視カメラを制御する遠隔監視カメラ制御方法に関する。
【０００２】
【従来の技術】
近年、専用線、光ファイバー、ＡＤＳＬ（Ａｓｙｍｍｅｔｒｉｃ　Ｄｉｇｉｔａｌ　Ｓｕｂｓｃｒｉｂｅｒ　Ｌｉｎｅ）等の高速通信回線網を利用した常時接続によるインターネットの利用が定着しつつある。このような高速通信回線網を利用して動画やデータ容量の大きいファイル情報など、大量のデータ情報を高速、かつ快適に送受信することができるようになった。
【０００３】
また、通信回線網の利用形態において、インターネットに接続する利用時間に応じて料金が加算される従量制による接続から、定められた一定の金額で自由にインターネットに接続することができる定額制での常時接続が主流となりつつある。この常時接続により、インターネット利用者は時間及び料金などを意識せずにインターネット接続を行うことができる。しかしながら、インターネット利用者の大半は、通信網が整備されていないため従量制の接続、即ち、ＰＳＴＮ（Ｐｕｂｌｉｃ　Ｓｗｉｔｃｈｅｄ　Ｔｅｌｅｐｈｏｎｅ　Ｎｅｔｗｏｒｋ）によるアナログ回線網でのインターネット接続を利用している。
【０００４】
また、上記常時接続による高速通信回線網を利用し、所定のソフトウェアを使用することで、利用者側端末により遠隔地で監視を必要とする場所に設置された監視カメラの画像を閲覧し、監視カメラを遠隔操作することができる監視カメラシステムが存在する。
【０００５】
【発明が解決しようとする課題】
しかしながら、上記監視カメラシステムにおいて、監視カメラを設置した場所で高速通信回線網での常時接続を行うことができない場合、利用者側端末により監視カメラの画像を閲覧し、監視カメラを遠隔操作するにはＰＳＴＮによるアナログ回線網、又は、ＰＨＳ（Ｐｅｒｓｏｎａｌ　Ｈａｎｄｙｐｈｏｎｅ　Ｓｙｓｔｅｍ）やＰＤＣ（Ｐｅｒｓｏｎａｌ　Ｄｉｇｉｔａｌ　Ｃｅｌｌｕｌａｒ）等によるモバイル回線網を介して直接電話接続を行う必要がある。この場合、通信コストが割高になってしまうという問題点があった。
【０００６】
そこで、本発明の課題は、常時接続の高速通信回線網を利用することができない遠隔地に設置された監視カメラの画像を閲覧し、監視カメラを遠隔操作するために、直接電話接続を確立しない状態で監視カメラを接続させて制御することができると共に、通信コストを削減することができる遠隔監視カメラ制御方法を提供することである。
【０００７】
【課題を解決するための手段】
上記の課題を解決するため、本発明は、利用者側端末との接続処理を行うと共に、所定場所を撮影する監視カメラからの画像を該利用者側端末へ提供するサーバーを制御するサーバー制御手順と、上記監視カメラを制御する監視カメラ制御手順とを有し、上記サーバー制御手順は、上記利用者側端末からの上記監視カメラへの接続要求に応じて、電話回線網を介して上記監視カメラへ接続要求を送信し、該接続要求を即時に停止する接続要求送信手順を有し、上記監視カメラ制御手順は、上記サーバー制御手順による上記接続要求から接続要求元の電話番号を取得する電話番号取得手順と、上記電話番号取得手順により取得した上記電話番号に基づいて、インターネットを介して上記サーバーへ接続し、上記監視カメラにより撮影された画像を送信する画像送信手順とを有する構成とされる。
【０００８】
このような遠隔監視カメラ制御方法では、サーバー制御手順は、利用者側端末からの監視カメラへの接続要求に応じて、電話回線網を介して監視カメラへ接続要求を送信し、該接続要求を即時に停止し、監視カメラ制御手順は、サーバー制御手順による接続要求から接続要求元の電話番号を取得し、取得した電話番号に基づいて、サーバーからの接続要求と判断し、監視カメラの近くのプロバイダを介してインターネットへ接続し、インターネットを介してサーバーへ接続し、監視カメラにより撮影された画像を送信することにより、常時接続の高速通信回線網を利用することができない遠隔地に設置された監視カメラの画像を提供するために、直接電話接続を確立しない状態で、インターネットを介して監視カメラを接続させて制御することができるため、通信コストを削減することができる。
【０００９】
また、上記の課題を解決するため、本発明は、上記監視カメラ制御手順が、上記接続要求送信手順による上記接続要求の停止後に、上記電話番号取得手順により取得した上記電話番号が所定のサーバーの電話番号であるか否かを判断する判断手順を有し、上記画像送信手順は、上記判断手順による判断結果に基づいて上記サーバー制御手順へ接続し、上記監視カメラにより撮影された画像を送信する構成とされる。
【００１０】
このような遠隔監視カメラ制御方法では、監視カメラ制御手順は、接続要求の停止後に、取得した電話番号が所定のサーバーの電話番号であるか否かを判断し、判断結果に基づいてサーバー制御手順へ接続し、監視カメラにより撮影された画像を送信することにより、サーバーと遠隔地の監視カメラとを効率的に接続することができる。
【００１１】
上記の課題を解決するため、本発明は、所定場所に設定された監視カメラが撮影した画像を利用者側端末へ提供するサーバーに送信する画像提供方法であって、電話回線網を介して上記サーバーからの接続要求の停止後に、取得した該接続要求の電話番号が所定のサーバーの電話番号であるか否かを判断する判断手順と、上記サーバーからの上記接続要求の電話番号と上記判断手順による判断結果とに基づいて、インターネットを介して上記サーバーへ接続し、上記監視カメラにより撮影された画像を送信する画像送信手順とを有する構成とされる。
【００１２】
このような画像提供方法では、電話回線網を介してサーバーからの接続要求の停止後に、取得した該接続要求の電話番号が所定のサーバーの電話番号であるか否かを判断し、サーバーからの接続要求の電話番号と判断結果とに基づいて、インターネットを介してサーバーへ接続し、監視カメラにより撮影された画像を送信することにより、直接電話接続を確立しない状態で所定の接続要求のみを判断してサーバーと接続し、画像を送信することにより、通信コストを削減することができる。
【００１３】
上記の課題を解決するため、本発明は、所定場所を撮影する監視カメラと利用者側端末との接続処理を行うと共に、該監視カメラにより撮影された画像を該利用者側端末へ提供するサーバーによる遠隔監視カメラ制御方法であって、上記利用者側端末からの上記監視カメラとの接続要求に基づいて、電話回線網を介して上記監視カメラへ接続要求を送信し、該接続要求を即時に停止する接続要求送信手順と、上記接続要求の停止後に上記監視カメラと接続され、上記監視カメラから送信された画像と、上記監視カメラに関する情報とを管理する情報管理手順と、上記情報管理手順により管理された情報を上記利用者側端末に提供する情報提供手順とを有する構成とされる。
【００１４】
このような遠隔監視カメラ制御方法では、利用者側端末からの監視カメラとの接続要求に基づいて、電話回線網を介して監視カメラへ接続要求を送信し、該接続要求を即時に停止し、接続要求の停止後に監視カメラと接続され、監視カメラから送信された画像と、監視カメラに関する情報とを管理し、管理された情報を利用者側端末に提供することにより、利用者側端末からの接続要求に応じて直接電話接続を確立しない状態で監視カメラへの接続を制御し、利用者側端末に監視カメラに関する情報及び画像を提供することができる。
【００１５】
上記の課題を解決するため、本発明は、所定場所に設定された監視カメラが撮影した画像を利用者側端末へ提供するサーバーに送信する遠隔監視カメラシステムであって、電話回線網を介して上記サーバーから送信された接続要求の電話番号が所定のサーバーの電話番号であるか否かを判断するアダプタと、上記アダプタの判断結果に基づいて上記監視カメラを起動させるセンサーと、上記センサーの起動に応じて設置された所定場所を撮影する監視カメラと、インターネットを介して上記サーバーへ接続し、該サーバーへ上記監視カメラにより撮影された画像を送信するモデムルーターとを有する構成とされる。
【００１６】
このような遠隔監視カメラシステムでは、電話回線網を介してサーバーからの接続要求の電話番号が所定のサーバーの電話番号であるか否かを判断するアダプタと、アダプタの判断結果に基づいて監視カメラを起動させるセンサーと、センサーの起動に応じて設置された所定場所を撮影する監視カメラと、インターネットを介してサーバーへ接続し、該サーバーへ監視カメラにより撮影された画像を送信するモデムルーターとを有することにより、直接電話接続を確立しない状態で、取得した電話番号に基づいて監視カメラの近くのプロバイダを介してインターネットへ接続し、インターネットを介してサーバーへ接続して画像を送信することにより、通信コストを削減することができる。
【００１７】
上記の課題を解決するため、本発明は、サーバーから送信された接続要求に基づいて、所定場所に設定された監視カメラを制御するアダプタによる監視カメラ制御方法であって、電話回線網を介して上記サーバーから送信された接続要求の電話番号が所定のサーバーの電話番号であるか否かを判断する判断手順と、上記判断手順による判断結果に基づいて上記監視カメラを起動させる制御を行う制御手順とを有する構成とされる。
【００１８】
このような監視カメラ制御方法では、電話回線網を介してサーバーから送信された接続要求の電話番号が所定のサーバーの電話番号であるか否かを判断し、判断結果に基づいて監視カメラを起動させる制御を行うことにより、直接電話接続を確立しない状態で所定のサーバーの電話番号であるか否かを判断して監視カメラを起動させることができる。
【００１９】
また、上記課題を解決するため、本発明は、遠隔監視カメラ制御方法による処理をコンピュータに行なわせるためのプログラム及びそのプログラムを記録した記録媒体とすることもできる。
【００２０】
【発明の実施の形態】
以下、本発明の実施の形態を図面に基づいて説明する。
【００２１】
図１は、本発明の一実施例に係る遠隔監視カメラ制御システムにおける構成図である。図１において、遠隔監視カメラ制御システム１０は、インターネットカメラの画像を閲覧し、インターネットカメラを遠隔操作する利用者側端末２０と、監視カメラシステム５０の編集を行う管理者側端末２５と、利用者側端末２０からの接続要求に応じて監視カメラシステム５０との接続処理などを行うサーバー３０と、監視カメラシステム５０からインターネット１に接続するためのプロバイダ４０と、インターネットカメラを制御する監視カメラシステム５０とで構成されている。遠隔監視カメラ制御システム１０において、インターネット１及びＰＳＤＮ２を介して利用者側端末２０と、管理者側端末２５と、サーバー３０と、プロバイダ４０と、監視カメラ制御システム５０とが接続されている。
【００２２】
利用者側端末２０は、インターネットカメラの画像を閲覧、遠隔操作するために、サーバー３０へ接続要求を行い、サーバー３０から配信された画像を閲覧、遠隔操作するためのＷｅｂ（Ｗｏｒｌｄ　Ｗｉｄｅ　Ｗｅｂ）サイトを表示する。管理者側端末２５は、監視カメラシステム５０に登録されたインターネットカメラ情報及びユーザー情報の変更、削除などの編集を行うために、サーバー３０へ接続要求を行い、サーバー３０から配信されたインターネットカメラ情報及びユーザー情報の編集を行うためのＷｅｂサイトを表示する。尚、利用者側端末２０、管理者側端末２５は、例えば、パーソナルコンピュータ（ＰＣ）や携帯電話等のＷｅｂサイトが表示可能な端末であれば適応可能である。
【００２３】
サーバー３０は、主に、データ通信を制御するモデムなどの通信制御処理部３１と、データの表示を制御する表示制御処理部３２と、遠隔監視カメラ制御処理を実行するプログラムをインストールするインストーラー３３と、データの入出力を制御する入出力制御処理部３４と、遠隔監視カメラ制御に関する情報を管理する情報管理処理部３５と、インターネットカメラ５３の画像を管理する動画処理部３６と、利用者側端末２０へＷｅｂサイトと共に、静止画像及び動画を配信するＷｅｂ配信処理部３７と、管理者側端末２５の要求に応じてユーザー情報を編集するユーザー情報編集処理部３８と、管理者側端末２５の要求に応じてカメラ情報を編集するカメラ情報編集処理部３９と、インターネットカメラに関する情報が格納されたカメラ情報ＤＢ３８０と、モデムに関する情報が格納されたモデム情報ＤＢ３８１と、利用者の情報が格納されたユーザー情報ＤＢ３８２と、監視カメラシステム５０への接続の履歴情報が格納されたログ情報ＤＢ３８３と、静止画像が格納された画像情報ＤＢ３８４とで構成される。カメラ情報ＤＢ３８０と、モデム情報ＤＢ３８１と、ユーザー情報ＤＢ３８２と、ログ情報ＤＢ３８３とに格納されるテーブルについては、図１６〜図１９で詳細に説明する。
【００２４】
通信制御処理部３１は、ネットワーク１及びＰＳＴＮ２を介して送受信データを制御する処理部であって、ネットワーク網に接続するための通信ユニットを有する。表示制御処理部３２は、ディスプレイ等の表示ユニットを有し、表示用データを制御して該表示ユニットに表示させる。入出力制御処理部３４は、マウス、キーボード等の入力ユニット及びプリンタ等の出力ユニットを制御し、データの入出力を制御する。インストーラー３３は、本発明の一実施例に係る遠隔監視カメラ制御システムにより実行される隔監視カメラ制御方法を実現するためのプログラムが記録された記録媒体６０から該プログラムを読み出し、その読み出されたプログラムを、例えば、補助記憶装置等にインストールする。そして、後述される隔監視カメラ制御方法における処理が起動されると、補助記憶装置にインストールされた当該プログラムに従って、ＣＰＵがその処理を開始する。尚、記録媒体６０は、当該プログラムを格納する媒体としてＣＤ−ＲＯＭ等、コンピュータが読み取り可能な媒体であればよい。
【００２５】
情報管理処理部３５は、インターネットカメラに関する情報が格納されたカメラ情報ＤＢ３８０と、モデムに関する情報が格納されたモデム情報ＤＢ３８１と、利用者の情報が格納されたユーザー情報ＤＢ３８２と、監視カメラシステム５０への接続の履歴情報が格納されたログ情報ＤＢ３８３とに格納される情報を管理する。動画処理部３６は、インターネットカメラ５３の画像を受信し、静止画像を画像情報ＤＢ３８４に格納する。Ｗｅｂ配信処理部３７は、インターネットカメラ５３の画像とを含むＷｅｂサイトを生成し、そのＷｅｂサイトを所定の利用者側端末２０へ配信する。ユーザー情報編集処理部３８は、管理者側端末２５の要求に応じてユーザー情報ＤＢ３８２に格納されたユーザー情報の変更、削除等の編集を行う。カメラ情報編集処理部３９は、管理者側端末２５の要求に応じてカメラ情報ＤＢ３８０に格納されたユーザー情報の変更、削除等の編集を行う。
【００２６】
監視カメラシステム５０は、サーバー３０から接続要求の電話番号を取得するアダプタ５１と、取得した電話番号に応じて起動するセンサー５２と、設置された場所を撮影するインターネットカメラ５３と、ＰＳＴＮ２を介してインターネット１への接続を行い、インターネットカメラ５３の画像を送信するモデムルーター５４とで構成される。
【００２７】
アダプタ５１は、ＰＳＴＮ２を介してサーバー３０からの接続要求の電話番号を取得する。また、アダプタ５１は、取得した接続要求元の電話番号が所定のサーバー３０からの接続要求の電話番号であるか否かを認識する。センサー５２は、アダプタ５１からの認識結果により、所定のサーバー３０からの接続要求である場合に起動される。インターネットカメラ５３は、センサー５２の起動により画像を撮影し、モデムルーター５４へ画像を提供する。モデムルーター５４は、ＰＳＴＮ２を介して最寄のプロバイダ４０に接続し、インターネット１への接続を行う。プロバイダ４０によりサーバー３０へ接続されると、モデムルーター５４からサーバー３０へインターネットカメラ５３の画像が送信される。
【００２８】
次に、上記遠隔監視カメラ制御システムでの全体の手順について説明する。
【００２９】
例えば、インターネット接続環境がＰＳＴＮ２のアナログ回線網であり、そのアナログ回線網に設置された監視カメラシステム５０の画像を、利用者が所有する利用者側端末２０で閲覧する場合、利用者側端末２０は、インターネット１を介して監視カメラシステム５０との接続要求をサーバー３０に送信する。その後、利用者側端末２０は、サーバー３０から配信された所定のＷｅｂサイトを表示する（ステップＳ１）。
【００３０】
利用者側端末２０は、表示されたＷｅｂサイトの所定の入力域にユーザーＩＤ及びユーザーパスワード（ユーザーＰＷ）を入力し、サーバー３０へ送信する。サーバー３０の情報管理処理部３５は、受信したユーザーＩＤ及びユーザーＰＷと、ユーザー情報ＤＢ３８２に予め格納されたユーザーＩＤ及びユーザーＰＷとを照合する。
【００３１】
情報管理処理部３５によりユーザーＩＤ及びユーザーＰＷとが認識されると、Ｗｅｂ配信処理部３７は、インターネットカメラ５３の画像の閲覧及び遠隔操作を行うためのＷｅｂサイトを所定の利用者端末２０に配信する。利用者端末２０では、Ｗｅｂサイトが表示され、Ｗｅｂサイトで監視を行うインターネットカメラ５３が選択される。サーバー３０により、選択されたインターネットカメラ５３が認識されると、サーバー３０は、ＰＳＴＮ２を介して監視カメラシステム５０のアダプタ５１に接続要求を送信し、該接続要求を即座に切断する（ステップＳ２）。尚、接続要求は、ＰＳＴＮ２での電話回線を通じて電話発信により行われる。
【００３２】
監視カメラシステム５０のアダプタ５１は、サーバー３０からの接続要求の電話番号に基づいて、所定のサーバー３０からの電話発信先であるか否かを認識し、認識結果に応じてセンサー５２を起動状態にする（ステップＳ３）。センサー５２が起動状態になると、インターネットカメラ５３が起動する。一方、接続要求に付与された電話番号がサーバー３０からの接続要求でないと認識されると、センサー５２は起動されない。
【００３３】
インターネットカメラ５３が起動されると、モデムルーター５４へ画像を供給する（ステップＳ４）。モデムルーター５４は、ＰＳＴＮ２を介して最寄のプロバイダ４０に接続する。プロバイダ４０は、サーバー３０に接続し、監視カメラシステム５０からの画像及びＩＰ（Ｉｎｔｅｒｎｅｔ　Ｐｒｏｔｃｏｌ）アドレスをサーバー３０に送信する（ステップＳ５）。
【００３４】
サーバー３０の動画処理部３６は、監視カメラシステム５０からの画像を画像情報ＤＢ３８４に格納する。Ｗｅｂ配信処理部３２は、画像、ＩＰアドレスを認識し、画像を閲覧、インターネットカメラ５３を遠隔操作するためのＷｅｂサイトを生成し、利用者端末２０に監視カメラシステム５０からの画像と共に、Ｗｅｂサイトを配信する（ステップＳ６）。
【００３５】
これにより、常時接続の高速通信回線網を利用することができない遠隔地に設置された監視カメラシステム５０の画像を利用者端末２０で閲覧し、監視カメラシステム５０を遠隔操作することができる。また、直接電話接続を確立せずに、最寄のプロバイダ４０を介してインターネット１と接続し、インターネット１を介して監視カメラシステム５０とサーバー３０とを接続することにより、直接電話接続されることにより発生する料金が課金されることなく、最も通信料金がかからない接続ルートで監視カメラシステム５０とサーバー３０とを接続することができる。
【００３６】
次に、上記遠隔監視カメラ制御システムでの処理手順について詳細に説明する。
【００３７】
図２、図３は、遠隔監視カメラ制御処理のフローチャートを示す図である。図２において、先ず、ステップＳ１０の処理で、利用者側端末２０は、サーバー３０へ接続要求を送信し、Ｗｅｂサイトへのアクセスを行う。ステップＳ１１の処理で、サーバー３０は、所定の利用者端末２０にＷｅｂサイトを配信してＷｅｂサイトを表示させる。ステップＳ１２の処理で、利用者側端末２０は、表示されたＷｅｂサイトから所定のインターネットカメラ５３を選択する。ステップＳ１３の処理で、利用者側端末２０は、所定のインターネットカメラ５３の画像の閲覧のため、サーバー３０からの画像送信を待機する。ステップＳ１４の処理で、サーバー３０は、利用者側端末２０からの接続要求に基づいて、ＰＳＴＮ２を介してアダプタ５１へ接続要求をし、その接続要求を即時に切断する。ステップＳ１５の処理で、アダプタ５１はサーバー３０からの接続要求の電話番号を取得する。ステップＳ１６の処理で、アダプタ５１は、取得した接続要求の電話番号がサーバー３０の電話番号である場合、センサー５２を起動させる。ステップＳ１７の処理で、インターネットカメラ５３は、センサー５２の起動に応じて、所定のインターネットカメラ５３を起動させる。ステップＳ１８の処理で、モデムルーター５４は、起動したインターネットカメラ５４の回線状態を認識し、インターネット１に接続する。
【００３８】
図３において、ステップＳ２０の処理で、サーバー３０は、所定の利用者側端末２０と監視カメラシステム５０の所定のインターネットカメラ５３とを接続させる。ステップＳ２１の処理で、インターネットカメラ５３は、サーバー３０へ静止画像とＩＰアドレスを送信する。ステップＳ２２の処理で、サーバー３０の動画処理部３６は、静止画像を画像情報ＤＢ３８４に格納する。また、Ｗｅｂ配信処理部３７は、所定のインターネットカメラ５３の画像及びＩＰアドレスを所定の利用者側端末２０に表示されたＷｅｂサイトへ配信する。ステップＳ２３の処理で、利用者側端末２０は、サーバー３０からのＩＰアドレスをＷｅｂサイトに表示させる。ステップＳ２４の処理で、利用者側端末２０は、表示されたＩＰアドレスを選択する。即ち、所定のインターネットカメラ５３を選択し、そのインターネットカメラ５３の画像を閲覧する。ステップＳ２５の処理で、利用者側端末２０は、インターネットカメラ５３の静止画像を閲覧する。ステップＳ２６の処理で、利用者側端末２０は、インターネットカメラ５３を操作すると共に、動画を閲覧する。ステップＳ２７の処理で、利用者側端末２０は、インターネットカメラ５３の操作を終了すると、接続の切断要求を監視カメラシステム５０に送信する。ステップＳ２８の処理で、監視カメラシステム５０のモデムルーター５４は、インターネット１の接続を切断する。
【００３９】
次に、遠隔監視カメラ制御処理において利用者側端末２０に表示される画面遷移について説明する。図４は、利用者側端末に表示されるログイン画面例を示す図である。図４において、画面２００は、利用者側端末２０からの接続要求に応じてサーバー３０のＷｅｂ配信処理部３７から配信されたＷｅｂサイトの画面例である。画面２００には、「遠隔監視カメラシステムログイン画面」を示すタイトル域２０１と、利用者のユーザーＩＤ及びユーザーＰＷを入力する入力域２０２と、ログインボタン２０３とが表示される。例えば、利用者が、入力域２０２にユーザーＩＤとパスワードを入力し、サーバー３０にログイン要求を送信するログインボタン２０３を選択し、サーバー３０でユーザーが認識されると、図５に示す画面が表示される。
【００４０】
図５は、利用者側端末に表示される登録画像一覧の画面例を示す図である。図５において、画面２０４には、「Ａさんの登録画像一覧　カメラ登録台数（４台）」を示すタイトル域２０５と、インターネットカメラ５３に関する情報が表示される表示域２０６と、登録画像一覧表示を終了する終了ボタン２０８とが表示される。また、表示域２０６は、インターネットカメラ５３を識別するためのカメラＮｏ項目と、各インターネットカメラ５３のファイル画像項目と、インターネットカメラ５３の回線状況項目と、各インターネットカメラ５３の最終接続時間項目と、インターネットカメラ５３のログを閲覧するためのログ表示項目とで構成される。
【００４１】
例えば、カメラＮｏ．「１」において、そのインターネットカメラ５３のファイル画像と、回線状況にインターネットカメラ５３に接続するための接続ボタン２０７と、最終接続時間「０２／０６／１７　１８：２３：００」と、ログ表示に過去ログ閲覧を要求する「過去ログ閲覧」項目とが表示される。この時、表示された接続ボタン２０７を選択すると、サーバー３０に選択されたインターネットカメラ５３の接続要求が送信され、図６に示す画面２０９が表示される。
【００４２】
図６は、利用者側端末に表示される待機状態の画面例を示す図である。図６において、画面２０９には、回線状況の表示域２１０に「しばらくお待ち下さい」が表示され、画像閲覧及びインターネットカメラ５３の遠隔操作の待機状態となる。また、カメラＮｏ「１」のログ表示「過去ログ一覧」２１１を選択すると、図７に示すログ画面２１１が表示される。
【００４３】
図７は、利用者側端末に表示されるログ情報の画面例を示す図である。図７において、ログ画面２１１は、サーバー３０のＷｅｂ配信処理部３７によりログ情報ＤＢ３８３、画像情報ＤＢ３８４とに格納された情報に基づいて生成されたログ情報が利用者端末２０に配信され、表示される画面である。ログ画面２１１には、「Ａさんの画像ログ一覧　カメラＮｏ．１　ログ表示件数８６件」を示すタイトル域２１２と、インターネットカメラ５３の画像及び接続時間に関する情報が最新情報の順に表示される表示域２１３と、画像ログ一覧表示を終了する終了ボタン２１４と、次のログを表示するボタン２１５とが表示される。例えば、ログ画面２１１の最新情報には、最新のファイル画像と、接続開始時間「０２／０６／１７　１８：２２：００」、接続終了時間「０２／０６／１７　１８：２３：００」とが表示される。
【００４４】
また、図６に示す画面２０９の画像閲覧、遠隔操作の待機状態が解除されて、利用者側端末２０に監視カメラシステム５０の画像が接続された場合、図８に示す画面２１６が表示される。図８は、利用者側端末に表示される遠隔操作画面例を示す図である。図８において、画面２１６には、所定のネットワークカメラ５３を上下左右に遠隔操作するためのアイコン２１７と、所定のネットワークカメラ５３の動画が表示される表示域２１８とが表示される。例えば、利用者は、アイコン２１７の上下左右いずれかの方向を示すアイコン部分をクリックすることで、所定のネットワークカメラ５３で撮影される動画の方向を変更することができる。
【００４５】
次に、遠隔監視カメラ制御処理において管理者側端末２５に表示される画面遷移について説明する。図９は、管理者側端末に表示されるログイン画面例を示す図である。図９において、画面３００は、管理者側端末２５からの接続要求に応じてサーバー３０から配信されたＷｅｂサイトの画面例である。画面３００には、「管理者用ログイン画面」を示すタイトル域３０１と、管理者のユーザーＩＤ及びユーザーＰＷを入力する入力域３０２と、ログインボタン３０３とが表示される。例えば、管理者が、入力域３０２にユーザーＩＤとパスワードを入力し、サーバー３０にログイン要求を送信するログインボタン３０３を選択し、サーバー３０で管理者が認識されると、図１０に示す画面が表示される。
【００４６】
図１０は、管理者側端末に表示される登録カメラ情報一覧の画面例を示す図である。図１０において、画面３０５には、「登録カメラ一覧」を示すタイトル域３０６と、インターネットカメラ５３に関する情報が表示される表示域３０７と、カメラ情報を新規登録する画面を表示するためのボタン３０８と、ユーザー情報を表示するためのボタン３０９と、登録カメラ一覧表示を終了する終了ボタン３１０とが表示される。また、表示域３０７は、インターネットカメラ情報の変更／削除を行う編集の種類を示す編集項目と、インターネットカメラ５３を識別するためのカメラＩＤ項目と、インターネットカメラ５３の優先順位を示す優先順位項目と、インターネットカメラ５３に設定されたユーザーの名前を示すユーザー名項目と、各インターネットカメラ５３の最終接続時間項目とで構成される。
【００４７】
例えば、カメラＩＤ「２４」において、そのインターネットカメラ５３の優先順位「０３」と、ユーザー名「Ｓｕｚｕｋｉ」と、最終接続時間「０２／０６／１７　１８：２３：００」とが表示される。この時、表示された編集項目「変更」を選択すると、サーバー３０に選択されたインターネットカメラ５３の変更要求が送信され、図１１に示す画面３１１が表示される。
【００４８】
図１１は、管理者側端末に表示されるカメラ情報の変更画面例を示す図である。図１１において、画面３１１には、「カメラ情報の変更」を示すタイトル域３１２と、設定されているインターネットカメラ５３に関する情報が表示される表示域３１３と、カメラ情報の変更情報を入力するための入力域３１４と、入力した情報の変更を行う変更ボタン３１５と、前のページを表示するボタン３１６とが表示される。また、表示域３１３は、インターネットカメラ情報の変更／削除を行う編集の種類を示す編集項目と、インターネットカメラ５３を識別するためのカメラＩＤと、インターネットカメラ５３の優先順位を示す優先順位項目と、インターネットカメラ５３の画像に付与されたＦＴＰ（Ｆｉｌｅ　Ｔｒａｎｓｆｅｒ　Ｐｒｏｔｏｃｏｌ）ＩＤ項目と、インターネットカメラ５３の画像を表示するためのＩＰアドレスと、各インターネットカメラ５３の最終アップロード時間項目とで構成される。例えば、表示域３１３には、編集「削除」と、カメラＩＤ「２２」と、優先順位「０１」と、ＦＴＰＩＤ「０００１」と、ＩＰアドレス「ＸＸＸＸ」とが表示される。
【００４９】
また、入力域３１４には、カメラの名前と、ＦＴＰＩＤ（ダウンロードファイル名）と、カメラ優先順位と、ネットワークカメラログインＩＤと、ネットワークカメラログインＰＷと、カメラユーザーとを入力する入力域と、モデム設定に関して接続要求元電話番号と、ダイヤルからコールまでの待機時間を入力するための入力域とが表示される。例えば、入力域３１４に入力された変更情報を設定する場合に変更ボタン３１５が選択されると、サーバー３０のカメラ情報編集処理部３９は、変更情報に基づいてカメラ情報ＤＢ３８０に格納された変更情報を設定する。
【００５０】
また、図１０に示す画面３０５のカメラ情報を新規登録する画面を表示するためのボタン３０８を選択すると、図１２に示す画面３１７が表示される。
【００５１】
図１２は、管理者側端末に表示されるカメラ情報の新規登録画面例を示す図である。図１２において、画面３１７には、「カメラ情報の新規登録」を示すタイトル域３１８と、カメラ情報の新規登録情報を入力するための入力域３１９と、入力した新規登録情報の登録を行う登録ボタン３２０と、前のページを表示するボタン３２１とが表示される。
【００５２】
また、入力域３１９には、カメラの名前と、ＦＴＰＩＤと、カメラ優先順位と、ネットワークカメラログインＩＤと、ネットワークカメラログインＰＷと、カメラユーザーとを入力する入力域と、モデム設定に関して接続要求元電話番号と、ダイヤルからコールまでの待機時間を入力するための入力域とが表示される。例えば、入力域３１９に入力された新規登録情報を登録する場合に登録ボタン３２０が選択されると、サーバー３０のカメラ情報編集処理部３９は、新規登録情報をカメラ情報ＤＢ３８０に登録する。
【００５３】
また、図１０に示す画面３０５のユーザー情報を表示するためのボタン３０９を選択すると、図１３に示す画面３２２が表示される。
【００５４】
図１３は、管理者側端末に表示されるユーザー情報一覧の画面例を示す図である。図１３において、画面３２２には、「登録ユーザー一覧」を示すタイトル域３２３と、登録されたユーザー情報が表示される表示域３２４と、ユーザーの新規登録情報の登録を行う登録ボタン３２５と、前のページを表示するボタン３２６とが表示される。表示域３２４は、ユーザーを識別するためのユーザーＮｏ．項目と、インターネットカメラ情報の変更／削除を行う編集の種類を示す編集項目と、インターネットカメラ５３に設定されたユーザーの名前を示すユーザー名項目と、ユーザーの利用者側端末２０の電話番号を示す電話番号項目と、ユーザーの利用者側端末２０のＥｍａｉｌアドレスを示すＥｍａｉｌ項目とで構成されている。例えば、表示域３２４には、ユーザーＮｏ．「２２」と、編集「変更」と、ユーザー名「Ｋｉｍｕｒａ」と、電話番号「０１２３４５６７８９」と、Ｅｍａｉｌ「ＸＸＸＸ」とが表示される。この時、表示された編集項目「変更」を選択すると、サーバー３０にユーザー情報の変更要求が送信され、図１４に示す画面３２７が表示される。
【００５５】
図１４は、管理者側端末に表示されるユーザー情報の変更画面例を示す図である。図１４において、画面３２７には、「ユーザー情報の変更」を示すタイトル域３２８と、設定されているユーザー情報が表示される表示域３２９と、ユーザー情報の変更情報を入力するための入力域３３０と、入力した情報の変更を行う変更ボタン３３１と、前のページを表示するボタン３３２とが表示される。また、表示域３２９は、ユーザーを識別するためのユーザーＮｏ．項目と、設定されたユーザーの名前を示すユーザー名項目と、ユーザーの利用者側端末２０の電話番号を示す電話番号項目と、ユーザーの利用者側端末２０のＥｍａｉｌアドレスを示すＥｍａｉｌ項目とで構成されている。例えば、表示域３２９には、ユーザーＮｏ．「２７」と、ユーザー名「Ｋｉｍｕｒａ」と、電話番号「０１２３４５６７８９」と、Ｅｍａｉｌ「ＸＸＸＸ」とが表示される。
【００５６】
また、入力域３３０には、ユーザーＩＤと、ユーザーＰＷと、ユーザーの名前と、ユーザーのアドレスと、ユーザーの電話番号と、ＦＡＸ番号と、Ｅｍａｉｌとが表示される。例えば、入力域３３０に入力された変更情報を設定する場合に変更ボタン３３１が選択されると、サーバー３０のユーザー情報編集処理部３８は、変更情報に基づいてユーザー情報ＤＢ３８２に格納された変更情報を設定する。
【００５７】
また、図１３に示す画面３２２のユーザーの新規登録情報の登録を行う登録ボタン３２５を選択すると、図１５に示す画面３３３が表示される。
【００５８】
図１５は、管理者側端末に表示されるユーザーの新規登録画面例を示す図である。図１５において、画面３３３には、「ユーザー情報の新規登録」を示すタイトル域３３４と、ユーザー情報の新規登録情報を入力するための入力域３３５と、入力した新規登録情報の登録を行う登録ボタン３３６と、前のページを表示するボタン３３７とが表示される。入力域３３５には、ユーザーＩＤと、ユーザーＰＷと、ユーザーの名前と、ユーザーのアドレスと、ユーザーの電話番号と、ＦＡＸ番号と、Ｅｍａｉｌとが表示される。例えば、入力域３３５に入力された新規登録情報を登録する場合に登録ボタン３３６が選択されると、サーバー３０のユーザー情報編集処理部３８は、新規登録情報をユーザー情報ＤＢ３８２に登録する。
【００５９】
次に、カメラ情報ＤＢ３８０に格納されるテーブルについて説明する。図１６は、カメラ情報ＤＢに格納されるテーブルを示す図である。図１６において、テーブル３８０には、各インターネットカメラ５３に対して一意に自動的に割り振られたカメラＩＤと、インターネットカメラ５３を使用するユーザーのユーザーＮｏと、各インターネットカメラ５３の画像ファイルを示すＦＴＰＩＤと、複数のインターネットカメラの画像を表示する際の優先順位を示すユーザーカメラＮｏと、インターネットカメラ５３の画像を送受信するためのポートＮｏと、カメラの名前と、所定のインターネットカメラ５３にログインするためのログインＩＤとログインＰＷと、インターネットカメラ５３のＩＰアドレス、監視カメラシステム５０と接続され、画像が送信された時間を示す接続時間と、監視カメラシステム５０と接続される接続要求元の電話番号と、接続要求を行ってから切断処理を行うまでの時間を示す待機時間項目とで構成される。
【００６０】
また、テーブル３８０には、Ｙｅｓ／Ｎｏ型のデーターであり、プロバイダ４０から接続されたか否かを示すモデム項目と、画像ファイルが送信されたか否かを示す接続項目と、カメラ情報に削除処理が行われたか否かを示す削除項目とが格納される。
【００６１】
例えば、テーブル３８０には、カメラＩＤ「２２」と、ユーザーＮｏ「２７」と、ＦＴＰＩＤ「０００１」と、ユーザーカメラＮｏ「１１１１」と、ポートＮｏ「０００１」と、カメラの名前「カメラ１」と、ログインＩＤ「ａａａａ」と，ログインＰＷ「ＸＸＸＸ」と、ＩＰアドレス「２１８．２２…」と、接続時間「０２／０６／１７　１８：２３：００」と、接続要求元電話番号「０１２３４５６７８９」と、待機時間「７５００」と、モデム「Ｙｅｓ」と、接続「Ｎｏ」と、削除「Ｎｏ」とが格納される。
【００６２】
次に、モデム情報ＤＢ３８１に格納されるテーブルについて説明する。図１７は、モデム情報ＤＢに格納されるテーブルを示す図である。図１７において、テーブル３８１は、通信制御処理部３１のモデムへの接続要求を行ったインターネットカメラ５３のＩＤを示すカメラＩＤと、接続要求を行った時間を示す接続要求時間とで構成される。例えば、テーブル３８１には、カメラＩＤ「２４」と、接続要求時間「０２／０６／１７　１８：２３：００」とが格納されている。
【００６３】
次に、ユーザー情報ＤＢ３８２に格納されるテーブルについて説明する。図１８は、ユーザー情報ＤＢに格納されるテーブルを示す図である。図１８において、テーブル３８２は、インターネットカメラ５３を使用するユーザーに対して一意に自動的に割り振られたユーザーＮｏと、プロバイダ４０にログインする際に使用されるユーザーＩＤと、ユーザーＰＷと、ユーザーの名前と、ユーザーの住所と、ユーザーの利用者側端末２０の電話番号を示す電話番号と、ユーザーのＦＡＸ番号と、ユーザーの利用者側端末２０のＥｍａｉｌアドレスを示すＥｍａｉｌとで構成される。また、テーブル３８２は、ユーザー情報に削除処理が行われたか否かを示す削除項目が格納される。
【００６４】
例えば、テーブル３８２には、ユーザーＮｏ「２７」と、ユーザーＩＤ「１２３４」と、ユーザーＰＷ「５６７８」と、ユーザーの名前「ｋｉｍｕｒａ」と、ユーザーの住所「ＸＸＸＸ」と、電話番号「０１２３４５６７８９」と、ユーザーのＦＡＸ番号「０１２３４５６６６６」と、Ｅｍａｉｌ「ｋｉｍｕｒａ＠ｘｘｘｘ」とが格納されている。
【００６５】
次に、ログ情報ＤＢ３８３に格納されるテーブルについて説明する。図１９は、ログ情報ＤＢに格納されるテーブルを示す図である。図１９において、テーブル３８３は、ログ情報が格納される毎に一意に自動的に割り振られたログＩＤと、監視カメラシステム５０から送信された画像を撮影したカメラＩＤと、インターネットカメラ５３の画像ファイルを示すＦＴＰＩＤと、インターネットカメラ５３のＩＰアドレスと、画像が送信された時間を示す接続時間と、ログ情報が格納された時間を示すログ時間と、インターネットカメラ５３の画像を送受信するためのポートＮｏとで構成される。
【００６６】
例えば、テーブル３８３には、ログＩＤ「１０１」と、カメラＩＤ「００１」と、ＦＴＰＩＤ「１２３４」と、ＩＰアドレス「ＸＸＸＸ」と、接続時間「０２／０６／１７　１８：２３：００」と、ログ時間「０２／０６／１７　１８：２４：００」と、ポートＮｏ「０００１」とが格納される。
【００６７】
このように、上記遠隔監視カメラ制御方法では、利用者側端末２０からの接続要求に応じて、サーバー３０から監視カメラシステム５０のアダプタ５１へ接続要求をして即時に接続要求を切断し、アダプタ５１がサーバー３０と接続しない状態で所定の接続要求の電話番号か否かを判断してインターネットカメラ５３を起動させ、インターネットカメラの画像を利用者側端末２０に送信することにより、常時接続の高速通信回線網を利用することができない遠隔地に設置された監視カメラシステム５０のインターネットカメラ５３の画像を、利用者側端末２０で閲覧し、インターネットカメラの遠隔操作を行うことができる。
【００６８】
また、監視カメラシステム５０が、直接電話接続を確立しない状態で、最寄のプロバイダ４０によりインターネットを介してサーバー３０と接続されることにより、通信コストを大幅に削減することができる。
【００６９】
尚、上記実施例に例示される監視カメラに限定されることなく、電話やＦＡＸなど、通信を利用して画像や情報提供が可能な機器にも適応可能である。
【００７０】
尚、上記情報管理処理部３５、動画処理部３６、Ｗｅｂ配信処理部３７、ユーザー情報編集処理部３８、カメラ情報編集処理部３９は、夫々別のサーバーに設けるようにしてもよい。
【００７１】
尚、利用者側端末２０に表示されるＷｅｂサイトは、インターネットカメラ５３の画像の閲覧及び遠隔操作を可能にした遠隔監視カメラ制御システムを利用するための専用サイトである。
【００７２】
尚、ユーザー情報ＤＢ３８２に予め格納されるユーザーＩＤ及びユーザーＰＷは、遠隔監視カメラ制御システムの利用開始時に、利用者端末２０に表示されたＷｅｂサイト上もしくは書面などにより発行される。
【００７３】
尚、上記実施例により、上記サーバー制御手順（サーバー３０）は、上記監視カメラ制御手順（監視カメラシステム５０）により送信された画像を管理する画像管理手順（画像情報ＤＢ３８４）と、上記画像を上記利用者側端末に提供する画像提供手順（Ｗｅｂ配信処理部３７）とで構成することができる。
【００７４】
また、上記実施例により、上記画像提供手順は、静止画像又は動画を上記利用者側端末に提供するように構成することができる。
【００７５】
上記実施例により、上記サーバー制御手順は、上記利用者側端末に対応付けて上記監視カメラ制御手順に関するカメラ情報を管理するカメラ情報管理手順（カメラ情報ＤＢ３８０）で構成することができる。
【００７６】
上記実施例により、上記サーバー制御手順は、上記利用者側端末に関する利用者情報を管理する利用者情報管理手順（ユーザー情報ＤＢ３８２）で構成することができる。
【００７７】
上記実施例により、上記サーバー制御手順は、上記監視カメラ制御手順との接続履歴に関する履歴情報を管理する履歴情報管理手順（ログ情報ＤＢ３８３）で構成することができる。
【００７８】
このような遠隔監視カメラ制御方法では、サーバー制御手順が監視カメラからの画像を管理し、静止画像及び動画を利用者側端末に提供すると共に、利用者側端末に対応付けられた監視カメラ制御手順に関するカメラ情報と、利用者側端末に関する利用者情報と、監視カメラ制御手順との接続履歴に関する履歴情報とを管理することにより、サーバー側で効率的に監視カメラ制御方法に関する情報を管理することができる。また、サーバーは、静止画像を利用者側端末に提供すると共に、監視カメラ制御手順と接続されたとき、動画を利用者側端末に提供することができる。
【００７９】
上記実施例により、上記サーバー制御手順は、上記利用者側端末からの要求と上記カメラ情報とに基づいて、上記利用者側端末に画像閲覧可能な上記監視カメラ制御手順の一覧を表示させるカメラ情報表示手順で構成することができる。
【００８０】
上記実施例により、上記サーバー制御手順は、上記利用者側端末からの要求と上記履歴情報とに基づいて、上記利用者側端末に上記履歴情報の一覧を表示させる履歴情報表示手順で構成することができる。
【００８１】
このような遠隔監視カメラ制御方法では、利用者側端末からの要求とカメラ情報及び履歴情報とに基づいて、画像閲覧可能な監視カメラの一覧及び履歴情報の一覧を表示させることにより、利用者側端末により所定の監視カメラを設定し、画像を閲覧することができ、また画像を閲覧した履歴を確認することができる。
【００８２】
上記実施例により、上記サーバー制御手順は、上記利用者側端末からの要求に基づいて、上記監視カメラの遠隔操作を可能とする画面を上記利用者側端末に表示させる操作画面表示手順で構成することができる。
【００８３】
このような遠隔監視カメラ制御方法では、サーバーが利用者側端末に監視カメラの遠隔操作を可能とする画面を表示させることにより、利用者側端末により所定の監視カメラの遠隔操作を行うことができる。
【００８４】
上記実施例により、上記サーバー制御手順は、上記監視カメラ制御手順を管理する管理者側端末からの要求に基づいて、上記カメラ情報管理手順により管理された上記カメラ情報を編集するカメラ情報編集手順（カメラ情報編集処理部３９）で構成することができる。
【００８５】
上記実施例により、上記サーバー制御手順の上記カメラ情報編集手順は、上記カメラ情報を編集する画面を上記管理者側端末に表示させる第１の編集画面表示手順で構成することができる。
【００８６】
上記実施例により、上記サーバー制御手順は、上記監視カメラ制御手順を管理する管理者側端末からの要求に基づいて、上記利用者情報管理手順により管理された上記利用者情報を編集する利用者情報編集手順（ユーザー情報編集処理部３８）で構成することができる。
【００８７】
上記実施例により、上記サーバー制御手順の上記利用者情報編集手順は、上記利用者情報を編集する画面を上記管理者側端末に表示させる第２の編集画面表示手順で構成することができる。
【００８８】
このような遠隔監視カメラ制御方法では、管理者側端末へカメラ情報及び利用者情報を編集する画面を表示させ、サーバー制御手順が管理者側端末からの要求に基づいて、カメラ情報管理手順により管理されたカメラ情報又は利用者情報管理手順により管理された利用者情報を編集することにより、サーバーはカメラ情報及び利用者情報の変更、削除等の編集を行うことができる。
【００８９】
【発明の効果】
上述の如く本発明によれば、サーバー制御手順は、利用者側端末からの監視カメラへの接続要求に応じて、電話回線網を介して監視カメラへ接続要求を送信し、該接続要求を即時に停止し、監視カメラ制御手順は、サーバー制御手順による接続要求から接続要求元の電話番号を取得し、取得した電話番号に基づいて、サーバーからの接続要求と判断し、監視カメラの近くのプロバイダを介してインターネットへ接続し、インターネットを介してサーバーへ接続し、監視カメラにより撮影された画像を送信することにより、常時接続の高速通信回線網を利用することができない遠隔地に設置された監視カメラの画像を提供するために、直接電話接続を確立しない状態で、インターネットを介して監視カメラを接続させて制御することができるため、通信コストを削減することができる。
【図面の簡単な説明】
【図１】本発明の一実施例に係る遠隔監視カメラ制御システムにおける構成図である。
【図２】遠隔監視カメラ制御処理のフローチャートを示す図である。
【図３】遠隔監視カメラ制御処理のフローチャートを示す図である。
【図４】利用者側端末に表示されるログイン画面例を示す図である。
【図５】利用者側端末に表示される登録画像一覧の画面例を示す図である。
【図６】利用者側端末に表示される待機状態の画面例を示す図である。
【図７】利用者側端末に表示されるログ情報の画面例を示す図である。
【図８】利用者側端末に表示される遠隔操作画面例を示す図である。
【図９】管理者側端末に表示されるログイン画面例を示す図である。
【図１０】管理者側端末に表示される登録カメラ情報一覧の画面例を示す図である。
【図１１】管理者側端末に表示されるカメラ情報の変更画面例を示す図である。
【図１２】管理者側端末に表示されるカメラ情報の新規登録画面例を示す図である。
【図１３】管理者側端末に表示されるユーザー情報一覧の画面例を示す図である。
【図１４】管理者側端末に表示されるユーザー情報の変更画面例を示す図である。
【図１５】管理者側端末に表示されるユーザーの新規登録画面例を示す図である。
【図１６】カメラ情報ＤＢに格納されるテーブルを示す図である。
【図１７】モデム情報ＤＢに格納されるテーブルを示す図である。
【図１８】ユーザー情報ＤＢに格納されるテーブルを示す図である。
【図１９】ログ情報ＤＢに格納されるテーブルを示す図である。
【符号の説明】
１　　　　　　　インターネット
２　　　　　　　ＰＳＤＮ
１０　　　　　　遠隔監視カメラ制御システム
２０　　　　　　利用者側端末
２５　　　　　　管理者側端末
３０　　　　　　サーバー
３１　　　　　　通信制御処理部
３２　　　　　　表示制御処理部
３３　　　　　　インストーラー
３４　　　　　　入出力制御処理部
３５　　　　　　情報管理処理部
３６　　　　　　動画処理部
３７　　　　　　Ｗｅｂ配信処理部
３８　　　　　　ユーザー情報編集処理部
３９　　　　　　カメラ情報編集処理部
４０　　　　　　プロバイダ
５０　　　　　　監視カメラシステム
５１　　　　　　アダプタ
５２　　　　　　センサー
５３　　　　　　インターネットカメラ
５４　　　　　　モデムルーター
６０　　　　　　記録媒体
３８０　　　　　カメラ情報ＤＢ
３８１　　　　　モデム情報ＤＢ
３８２　　　　　ユーザー情報ＤＢ
３８３　　　　　ログ情報ＤＢ
３８４　　　　　画像情報ＤＢ
【図１】
2004104462.tif 000003
【図２】
2004104462.tif 000004
【図３】
2004104462.tif 000005
【図４】
2004104462.tif 000006
【図５】
2004104462.tif 000007
【図６】
2004104462.tif 000008
【図７】
2004104462.tif 000009
【図８】
2004104462.tif 000010
【図９】
2004104462.tif 000011
【図１０】
2004104462.tif 000012
【図１１】
2004104462.tif 000013
【図１２】
2004104462.tif 000014
【図１３】
2004104462.tif 000015
【図１４】
2004104462.tif 000016
【図１５】
2004104462.tif 000017
【図１６】
2004104462.tif 000018
【図１７】
2004104462.tif 000019
【図１８】
2004104462.tif 000020
【図１９】
2004104462.tif 000021